(57)【要約】気根（３）を有するラン植物（２）を栽培するためのバスケット（１）と、植物の根および／または葉（２ａ）を通すためのスロット（４）。バスケットは、相互接続接合部（７）で相互接続するように配置された別々のバスケット部品（５，６）によって構成され、従って、バスケット部品が離れた状態で植物の根などを挿入でき、それらが結合された状態で植物の根などを保持できる。第１バスケット部品（５）は、下部（１０）および３つの側部（１１，１２，１３）を備える。第２バスケット部品（６）は、１つの側部（１４）を備え、第１バスケット部品に接続するように配置され、バスケット部品の相互接続状態で第４バスケット側部を形成するようになっている。相互接続接合部（７）に向かって延びる下部（１０）および２つの側部（１１，１３）は、相互接続接合部（７）に向かって開くスロット（４）を備える。【選択図】図１ｄ
2017505112.tif 000002
【特許請求の範囲】
【請求項１】
特に気根（３）を有するラン植物（２）用のバスケット（１）であって、バスケットは、突き出た植物部分を通すように配置されたスロット（４）または他の開口を有し、突き出た植物部分には、植物の根および／または葉（２ａ）および／または他の突き出たまたははみ出す植物部分が含まれ、
バスケットは、少なくとも２つの別々のバスケット部品（５，６）によって構成され、バスケット部品（５，６）は、相互接続接合部（７）で互いに相互接続するように配置され、このようにして、バスケット部品の分離状態で前記突き出た植物部分をバスケットに挿入または導入でき、バスケット部品の相互接続状態で突き出た植物部分をバスケットに保持でき、
前記バスケット部品の少なくとも１つは、その側部および／またはその下部の１つ以上にオープンスロット（４）を備え、そのスロットは、前記相互接続接合部（７）側で開いている、バスケット。
【請求項２】
請求項１に記載のバスケットであって、バスケット部品は、解除式固定手段（８，９）を備え、解除式固定手段（８，９）は、バスケット部品を可逆的に相互接続および非破壊非接続するように配置される、バスケット部品。
【請求項３】
請求項１に記載のバスケットであって、バスケット部品は、非解除式固定手段（８，９）を備え、非解除式固定手段（８，９）は、バスケット部品を不可逆的に相互接続するように配置される、バスケット部品。
【請求項４】
請求項１に記載のバスケットであって、バスケット部品は、バスケット部品を相互接続するためのクリック可能な固定手段（８，９）を備える、バスケット。
【請求項５】
請求項１に記載のバスケットであって、バスケット部品は、互いに等しい、バスケット。
【請求項６】
請求項１に記載のバスケットであって、２つのバスケット部品（５，６）を備え、少なくとも第１バスケット部品（５）および／または第２バスケット部品は、バスケット下部（１０）と３つのバスケット側部（１１，１２，１３）とを主に備え、相互接続接合部（７）の方へ延びるバスケット下部（１０）および／または２つのバスケット側部（１１，１３）は、相互接続接合部（７）側で開いているスロット（４）を備える、バスケット。
【請求項７】
請求項６に記載のバスケットであって、第１バスケット部品（５）または第２バスケット部品（６）は、１つのバスケット側部（１４）を主に備え、１つのバスケット側部（１４）は、他のバスケット部品に接続でき、バスケット部品の相互接続状態で第４バスケット側部を構成するようになっている、バスケット。
【請求項８】
請求項１〜７のいずれかに記載のバスケットであって、例えばポリエチレンまたはポリプロピレンのようなポリオレフィン系プラスチックである、熱可塑性合成材料の射出成形によって製造される、バスケット。
【発明の詳細な説明】
【技術分野】
【０００１】
本発明は、気根を有するラン植物用のバスケットに関する。気根を有するラン植物は、単軸性の成長習性を有する例えばバンダまたは同様のラン植物のようなものである。
【背景技術】
【０００２】
バンダ等のような単軸性の成長習性を有する維管束植物は、（基部の）一点から上方に成長する。それは、毎年頂部に葉を増やし、茎は、それに応じてより長く成長する。単軸成長のランは、大量の気根を出すことが多く、大量の気根は、長いドレープで垂れ下がることが多く、灰色の根の覆いの下に緑のクロロフィルを有し、それは、追加の光合成器官として用いられる。それらは、根茎または偽鱗茎を有さず、種が乾燥期に適合するように、代わりに多肉質の多肉葉を有する。花は、一般に葉の間の茎から出てくる。いくつかの単軸種では、茎（根茎）は、２つに分かれるかもしれないが、全ての単軸性ランにとって、これは継続成長に必要ではない。仮軸成長のランとは対照的である。
【０００３】
バンダは、ラン科（Ｏｒｃｈｉｄａｃｅａｅ）の属であり、それは、大きくないが（約５０種）、最も重要な花のようなものの１つである。この属およびその仲間は、ラン科の中の全てのランの最も高度な進化であると考えられている。その属は、その人目を引く、芳香性の、長持ちする、および極めてカラフルな花のために、園芸で非常に高く評価されている。
【０００４】
「バンダ」という名称は、種バンダテセラタのサンスクリット名に由来する。これらの主に着生であるが、場合によっては岩生または陸生のランは、インド、ヒマラヤ、東南アジア、インドネシア、フィリピン、ニューギニア、中国南部およびオーストラリア北部に分布する。
【０００５】
その植物は、革状の、耐乾性の葉を持ち、いくつかの種類は円筒形の葉の形である。この属の種のほぼ全ては、非常に大きな着生植物であり、それは、生息分布域で見られ、非常に高い光レベルを好み、その植物は、大きな根系を有する。
【０００６】
着生種は、その気根系を保持するバスケットに最も良く収容される。大きな、十分に成長したバンダの特徴を有するラン植物、および特に、バンダおよびアエリデス種は、植物が開花できないおよびシーズンあるいはそれ以上衰退するという結果になることがある。これらの植物は、成熟するときの栽培におけるその根系の障害または損傷に耐性がない。
【０００７】
大抵の栽培者は、スロット付きバスケットでバンダを栽培することを好む。スロット付きバスケットでは、その根は地面の方に自由に下がることができる。このように成長した植物は、多量の水を必要とし、水は、温室で、例えば散水ノズルを用いて与えられ得る。
【０００８】
バンダまたは気根系を有する同様の植物をバスケットに入れるために、根は、バスケットスロットを通り抜ける必要があり、茎または植物の基部は、例えば植物ワイヤによって、バスケットに固定される必要がある。
【０００９】
今まで使用されたスロット付きバスケットは、一体に作られている。上から下方へのバスケットへの植物のスムーズな挿入に必要とされる、一体バスケットの幅に起因して、植物は、その（幼）根がバスケットに十分な握りを提供しない限り、温室内でのそれの運搬、水まき（加圧下のノズル散水による）、作物保護手段等の実施の際に、簡単に転倒するまたはそのバスケットから落ちることがある。それ故、それぞれの幼植物は、植物ワイヤまたは同様の手段によって、そのバスケットに固定される必要がある。しかしながら、それは時間がかかる。加えて、この方策は、実際面で分かっているように、植物の転倒または落下の問題の終局の解決法ではない。
【発明の概要】
【発明が解決しようとする課題】
【００１０】
本発明の一つの目的は、先行技術の一体バスケットの不都合な点を回避するバスケットを提供することであり、特に（幼）植物が（幅広の）先行技術のバスケットよりもはるかに安定して立つバスケットを提供することである。
【００１１】
特定の目的は、気根を有する植物用のそのようなバスケットを提供することであり、それは、新しい改良された植物バスケットを共に構成する少なくとも２つのバスケット部品を、植物の両側から互いに向かって動かすことによって、バスケットを植物の基部（すなわち、根および／または最初の葉が生じる植物部分）に取り付けることができ、このようにして植物の基部を取り囲む。バスケット部品が植物の基部の周辺で互いに取り付けられた後に、植物は、先行技術の一体バスケットと同じように、例えば（取り付けられた）バスケットに付いている長尺フックによって温室で掛けられてよい。植物は、その根がバスケットスロットを通って下方へ自由に垂れ下がる間に、さらに対処および栽培されてよい。
【課題を解決するための手段】
【００１２】
本発明は、このようにして、例えばバンダ、Ｘ  アスコケンダ、アスコケントルム、アエリデス等のような、気根および例えば単軸性の成長習性を有する、例えばラン植物用のバスケットを提供し、バスケットは、植物の気根および／または葉のような突き出た植物部分を通すように配置されたスロットまたは他の開口を有し、バスケットは、少なくとも２つの別々のバスケット部品によって構成され、バスケット部品は、相互接続接合部（例えば１つの共通の相互接続面またはいくつかの例えば互い違いの相互接続面）で、解除式に（可逆的に）または非解除式に（非可逆的に）互いに相互接続される（組み立てられる、取り付けられる、結合される）ように配置され、このようにして、バスケットの非組立状態で、植物の気根など（その基部）または他の突き出た植物部分を挿入するのを可能および容易にでき、バスケットの組立状態（すなわちバスケット部品が相互接続された状態）で、植物の気根または他の突き出た植物部分を保持できる。両方のバスケット部品の相互接続が主に垂直であることが望ましい（植物の根は主に下方に延び、植物の茎は主に上方である）。
【００１３】
この明細書で、特許請求の範囲も含めて、「気根」または「根」が言及される場合には、他の突き出たまたははみ出す植物部分が、その用語の定義に含まれると見なされ、例えば植物の葉などであり、その突き出た植物部分も、植物とバスケットを互いに固定するために、バスケット開口に挿入されてよい。多くの場合、植物の基部または植物の中心（すなわち根および／または最初の葉が生じる領域）でまたはその周囲で植物の突き出た部分を挿入することが、好まれる。
【００１４】
側方から動かすことによって植物の基部（根など）の取り囲みをもたらすことができる２つ（以上）のバスケット部品により、バスケット自体は、（幅広の）先行技術のバスケットよりもはるかに幅を狭くできる。この幼植物が、植物ワイヤ等のような固定手段によって固定されなくても、その（かなり狭い）バスケットではるかに安定して立つことにより、そのような固定手段がないにもかかわらず、新しい２つ（以上）の部分の植物バスケットに取り付けられる植物は、斜位になりにくい、または、そのバスケットから（例えば散水ノズルによって）吹き飛ばされにくい。
【００１５】
本発明のさらなる詳細によると、少なくとも１つのバスケット部品は、その側部および／または下部の１つ以上にオープンスロットを備え、オープンスロットは、その相互接続接合部に向かって開いている（および、言い換えれば、その対応するものへのその相互接続接合部に向かって開口している）。この好ましい実施形態では、植物の基部（すなわち、その根および／またはその最初の葉）は、バスケット部品をもう片方に向かって動かすことによって、少なくとも１つのバスケット部品の開口スロットに受け取られる（導入される）、そして、いわば、側面にあるスロット縁によって取り囲まれる。言い換えれば、植物の根（および／または場合により最初の葉）は、そのスロットの内側におよび従ってバスケットに非常に簡単におよびスムーズに導入されることができる。バスケットのオープンスロット（一端で、すなわち、半分のバスケットの対応するものへのその相互接続接合部に向かって、開いている）により、バスケットの側部は、いわば、「フォーク」の機能を果たし、植物の根および／または最初の葉部分のスムーズで簡単な（取り囲み）受け取り／導入を促す。
【００１６】
バスケット部品は、解除式固定手段を備えてもよく、解除式固定手段は、バスケット部品を可逆的に相互接続（組立）および非破壊非接続（解体）するように配置され、それによって、バスケット部品は、後の段階で再び取り付けおよび取り外しができる。代替的に、バスケット部品は、非解除式固定手段を備えてもよく、非解除式固定手段は、バスケット部品を不可逆的に相互接続するように配置され、バスケット部品が、一度取り付け（相互接続）ができるが、後の段階で取り外しができないようになっている。取り外しは、しかしながら、通常スロットが全ての根に十分な空間を提供するので、植物が十分に成長する（およびその根が厚みを増す）ときでなくても、必要ないかもしれない。不可逆的相互接続の選択肢の利点は、バスケット部品の意図的でない非接続の可能性が、可逆的、取り外し可能な構造を用いるときよりも、低いことである。
【００１７】
両方の選択肢で、固定手段はクリック可能であってよく、その種の固定手段は、プラスチックから作られる製品および構造の分野内の一般知識である。バスケット部品は、例えばポリエチレンまたはポリプロピレンのようなポリオレフィン系プラスチックの射出成形によって製造してもよい。
【００１８】
バスケット部品が互いに等しいことが好まれることがあり、それは、その製造（等しい型、加工、保管および取り扱い）の見地から、および植物の挿入段階の際の植物処理におけるその適用の見地から、有利であり得る。両方のバスケット部品が完全に互換性があるからである。
【００１９】
後述される好ましい実施形態は、２つのバスケット部品を備え、第１バスケット部品は、バスケット下部および３つのバスケット側部を主に備え、第２バスケット部品は、１つのバスケット側部を主に備え、第２バスケット部品は、第１バスケット部品に接続できるように配置され、バスケット部品の取り付けられた（すなわち相互接続された）状態で、４番目のバスケット側部を構成するようになっている。この好ましい実施形態では、相互接続接合部の方に延びる、第１バスケット部品の２つのバスケット側部およびバスケット下部は、スロットを備え、スロットは、その端部で相互接続接合部の方へ開き、このようにして、その開口端スロットの開口端によって気根の挿入を容易にする。
【００２０】
米国特許第６０９８３３７号が、事実上スロット状開口を含む、ランの栽培用のバスケットを開示していることが、知られている。それは、しかしながら、本発明によるバスケットのような開端「フォーク」の形ではない。本発明によるバスケットは、開端フォーク状スロットを含むその設計により、植物の根および／または関連する植物部分のスムーズで簡単な受け取りを容易にする。
【００２１】
以下本発明は、いくつかの図を参照して、いくつかの例示的実施形態に基づいて明らかにされる。
【図面の簡単な説明】
【００２２】
【図１ａ】本発明によるバスケットの好ましい実施形態を示す。
【図１ｂ】本発明によるバスケットの好ましい実施形態を示す。
【図１ｃ】本発明によるバスケットの好ましい実施形態を示す。
【図１ｄ】本発明によるバスケットの好ましい実施形態を示す。
【図１ｅ】本発明によるバスケットの好ましい実施形態を示す。
【図１ｆ】本発明によるバスケットの好ましい実施形態を示す。
【発明を実施するための形態】
【００２３】
図１ａ‐ｆは、バンダまたは気根３を有する同様の植物２を栽培および／または生育するためのバスケット１を示す。バスケット１は、植物の気根３を通すために配置された、スロット４または他の開口を有する。バスケット１は、２つの別々のバスケット部品５および６によって構成され、バスケット部品５および６は、相互接続接合部７で互いに相互接続するように配置され、このようにして、バスケット部品の分離（非相互接続された）状態（図１ｄに示されている）で、つまり、根スロット４の開口端（バスケット部品６の方へ向けられている）を通して、植物の基部または基部領域３ａを構成する、少なくとも植物の気根３（図１ｂおよび１ｃに示されている）および場合によりその葉２ａのいくつか（図１ａに示されている）の挿入を可能および容易にし、そして、両方のバスケット部品５，６を相互接続した後、オープンスロットがバスケット部品６によって閉じられるときのバスケット部品５および６（図１ｅ‐ｆに示されている）の結合された（相互接続された）状態／位置で、植物の気根３およびさらに基部３ａを保持する。
【００２４】
バスケット部品５は、その側壁の２つにおよびその底壁に、オープンスロット４を備え、そのスロット４は、相互接続接合部７に向かって開き、センシブルな気根３の簡単な挿入を可能にする。
【００２５】
バスケット部品５，６を相互接続およびもう片方に固定するために、バスケット部品５，６は、クリック可能な固定手段を備え、クリック可能な固定手段は、例えばフック８とループ９の配置によって構成され、両方のバスケット部品５，６を相互接続するように配置される。固定手段（特にそのフッキング角度）の詳細な実施に応じて、バスケット部品５，６の固定は、接続を解くことができる、可逆的／解除式になる、または、接続を二度と解くことができない、不可逆的／非解除式になる。
【００２６】
図１ａ‐ｆに示されている実施形態では、バスケット部品は、互いに等しくない。図１ａ‐ｆに示されているバスケット１は、従って２つのバスケット部品５および６を備え、第１バスケット部品５は、バスケット下部１０および３つのバスケット側部（すなわち側部１１，１２および１３）を主に備える。第２バスケット部品６は、１つのバスケット側部１４を主に備える。第２バスケット部品６は、第１バスケット部品５に接続できるように配置され、バスケット側部１４によって、図１ｅ‐ｆに示されているバスケット部品の結合された（すなわち相互接続された）状態で第４のバスケット側部を構成するようになっている。相互接続接合部７に向かって延びる、バスケット下部１０および２つのバスケット側部１１および１３は、スロット４を備え、スロット４は、その端部で相互接続接合部７に向かって開き、このようにして、植物生産工程の開始段階の際のセンシブルな気根３の簡単で速い効果的および便利な導入を可能にし、その根の導入に続いてバスケット部品５および６を閉じることおよび固定することが行われ、このようにして革新的な植物バスケット１を構成する。
【００２７】
最後に、バスケット１には、吊りフック１５を設けることができ、吊りフック１５は、植物１を、その成長または栽培環境でつるすのに使用される。
【図１ａ】
2017505112.tif 000003
【図１ｂ】
2017505112.tif 000004
【図１ｃ】
2017505112.tif 000005
【図１ｄ】
2017505112.tif 000006
【図１ｅ】
2017505112.tif 000007
【図１ｆ】
2017505112.tif 000008
【国際調査報告】
2017505112.tif 000009
2017505112.tif 000010
2017505112.tif 000011